(57)【要約】      （修正有）【課題】外蓋の下面に蒸気シール用のパッキンを設け、該パッキンを介して外蓋の下面に内蓋を着脱可能に取り付ける場合の外蓋下面側パッキンの捲れを回避し、取付後の蒸気に対するシール性能を確保する。【解決手段】内周側に蒸気シール用のパッキン２３を介して放熱板２４を嵌合一体化した外蓋２６と、一端側を支点として、他端側を回動させ係合することによって、上記蒸気シール用のパッキンを挟んで上記外蓋の下面に着脱可能に取り付けられる内蓋２８とを備え、内カバー２２内周側の上記蒸気シール用パッキンと支点との間に、上記内蓋の一端側を係止する時の上記蒸気シール用パッキンの捲れを回避する所定の高さの凸状部Ｌを設けた。【選択図】図５
2010284401.tif 000002
【特許請求の範囲】
【請求項１】
外周面を形成する外カバーおよび該外カバーの外周部内側に位置して係合固定され、その内周側開口部に蒸気シール用のパッキンを介して放熱板を嵌合一体化した内カバーよりなる外蓋と、一端側を上記外蓋下面側の上記内カバーの一端側に設けた係止部に係止する一方、同係止部を支点として、その他端側を上記内カバーの他端側に回動させ、同内カバーの他端側に設けた所定の係合部に係合することによって、上記蒸気シール用のパッキンを挟んで上記外蓋の下面に着脱可能に取り付けられる内蓋とを備え、内鍋を収納した電気炊飯器本体に対し、その上部を覆って開閉可能に取り付けられる電気炊飯器の蓋ユニットであって、上記内カバー内周側の上記蒸気シール用パッキンと上記支点側係止部との間に、上記内蓋の一端側を上記支点側係止部に挿入係止する時の上記蒸気シール用パッキンの捲れを回避する所定の高さの凸状部を設けたことを特徴とする電気炊飯器の蓋ユニット。
【請求項２】
凸状部が、筒状壁構造のリブであることを特徴とする請求項１記載の電気炊飯器の蓋ユニット。
【請求項３】
筒状壁構造のリブは、蒸気シール用パッキンの外周部に隣接し、その全周を囲んで設けられていることを特徴とする請求項２記載の電気炊飯器の蓋ユニット。
【発明の詳細な説明】
【技術分野】
【０００１】
本願発明は、外蓋および内蓋の２つの蓋部材を備えるとともに、外蓋の下面に蒸気シール用のパッキンを設け、該蒸気シール用のパッキンを介して外蓋の下面に内蓋を着脱可能に取り付けるようにした電気炊飯器の蓋ユニットの構成に関するものである。
【背景技術】
【０００２】
最近の電気炊飯器では、例えば図６、図７に示すように、外蓋２６および内蓋２８の２つの蓋部材を備えるとともに、外蓋２６の下面に蒸気シール用のパッキン２３を設け、該蒸気シール用のパッキン２３を介して外蓋２６の下面に内蓋２８を着脱可能に取り付けるようにした蓋ユニット２を採用したものがある。
【０００３】
この蓋ユニット２は、蓋上部の外周面を形成する外カバー２１および該外カバー２１の外周部内側に位置して係合固定され、その内周側開口部２２ａ内に蒸気シール用のパッキン２３を介して蓋ヒータＨ2を備えた放熱板２４を嵌合一体化した内カバー２２よりなる外蓋２６と、一端側爪部材２８ｄを上記外蓋２６下面側の上記内カバー２２の一端側に設けた内蓋係止部２２ｅに係止する一方、同係止部２２ｅを支点として、その他端側を上記内カバー２２の他端側に回動させ、同内カバー２２の他端側に設けられた所定の係合部（図示省略）に係合することによって、上記蒸気シール用のパッキン２３を挟んで上記外蓋２６の下面に着脱可能に取り付けられる内蓋２８とを備え、図示しない内鍋を収納した電気炊飯器本体に対し、その上部を覆って開閉可能に取り付けられるようになっている（一例として特許文献１を参照）。
【先行技術文献】
【特許文献】
【０００４】
【特許文献１】特開２００７−３３０７６７号公報
【発明の概要】
【発明が解決しようとする課題】
【０００５】
ところが、以上のように内蓋２８を外蓋２６の内カバー２２部分に取り付けるに際し、例えば図６に示すように、内カバー２２の内蓋係止部２２ｅに対する内蓋２８の挿入角度θが所定の角度よりも大きい場合には、蒸気シール用のパッキン２３を捲ることはないが、同挿入角度θが所定角度よりも小さい場合、そのままでは、内蓋２８挿入時に、放熱板外周の蒸気シール用のパッキン２３のパッキン部分２３ｂを大きく捲ってしまい、同パッキン部分２３ｂがパッキンとして機能しない状態で内蓋２８が内カバー２２に固定されてしまう問題が生じる。その結果、良好な炊飯ができなくなる。
【０００６】
このような蒸気シール用パッキン２３の捲れ防止策として、例えば放熱板２４の直径を小さくすることにより、蒸気シール用パッキン２３の直径も小さくして外蓋２６の中央側に寄せ、内蓋２８の一端側と当接しないようにすることも考えられるが、そのように放熱板２４の直径を小さくすると、放熱板２４の蓋ヒータＨ2の配設面積および放熱面積が小さくなり、放熱量も低下するので、内蓋２８および内鍋開口部全体への均一な放熱が不可能となる。
【０００７】
その結果、内蓋や内鍋部分に露が発生しやすく、ご飯の白ボケ等の原因となる。
【０００８】
本願発明は、以上のような問題を解決するためになされたもので、外蓋の下面に蒸気シール用のパッキンを有し、該パッキンを介して外蓋の下面に内蓋を着脱可能に取り付ける場合の外蓋下面側パッキンの捲れを回避し、取付後の蒸気に対するシール性能を確保することができるようにした電気炊飯器の蓋ユニットを提供することを目的とするものである。
【課題を解決するための手段】
【０００９】
本願発明は、上記の目的を達成するために、次のような課題解決手段を有して構成されている。
【００１０】
（１）  請求項１の発明
この発明の電気炊飯器の蓋ユニットは、外周面を形成する外カバーおよび該外カバーの外周部内側に位置して係合固定され、その内周側開口部に蒸気シール用のパッキンを介して放熱板を嵌合一体化した内カバーよりなる外蓋と、一端側を上記外蓋下面側の上記内カバーの一端側に設けた係止部に係止する一方、同係止部を支点として、その他端側を上記内カバーの他端側に回動させ、同内カバーの他端側に設けた所定の係合部に係合することによって、上記蒸気シール用のパッキンを挟んで上記外蓋の下面に着脱可能に取り付けられる内蓋とを備え、内鍋を収納した電気炊飯器本体に対し、その上部を覆って開閉可能に取り付けられる電気炊飯器の蓋ユニットであって、上記内カバー内周側の上記蒸気シール用パッキンと上記支点側係止部との間に、上記内蓋の一端側を上記支点側係止部に挿入係止する時の上記蒸気シール用パッキンの捲れを回避する所定の高さの凸状部を設けたことを特徴としていいる。
【００１１】
このような構成によると、内蓋の取付時において、内蓋の一端側を内カバーの一端側内蓋係止部に向けて挿入係止しようとする時に、外蓋下面との間の傾斜角が小さく、内蓋が外蓋下面の蒸気シール用パッキンに接触する状態で挿入操作されたような場合にも、内蓋一端側が凸状部に当たって蒸気シール用パッキンよりも上方側に位置規制されるようになるので、従来のように蒸気シール用パッキンのパッキン片部分を捲るようなことがなくなる。
【００１２】
また、放熱板を内鍋の開口に対応した十分に広い面積のものとすることができ、放熱板側の蓋ヒータの配設密度、配設面積を十分に大きく、かつ均一なものとすることができることから、上方から下方への加熱効果が向上し（均一かつ高効率になり）、内蓋や内鍋部分の露付きが生じにくくなる。
【００１３】
さらに、上記放熱板の径の拡大に対応して、蒸気シール用パッキンの直径をも十分に大きなものとすることができるので、炊飯時における内蓋との間のおねば収容空間も十分に大きなものとなり、おねばの吹きこぼれが生じにくくなる。
【００１４】
これらの結果、炊飯時のご飯の炊き上り、保温時のご飯の保温状態が良好となる。
【００１５】
（２）  請求項２の発明
この発明の電気炊飯器の蓋ユニットは、上記請求項１の発明の構成において、凸状部が、筒状壁構造のリブであることを特徴としている。
【００１６】
このような構成によると、内蓋の取付時において、内蓋の一端側を内カバーの一端側内蓋係止部に向けて挿入係止しようとする時に、外蓋下面との間の傾斜角が小さく、内蓋が外蓋下面の蒸気シール用パッキンに接触する状態で挿入操作されたような場合にも、内蓋一端側が筒状壁構造のリブに当たって蒸気シール用パッキンよりも上方側に位置規制されるようになるので、従来のように蒸気シール用パッキンのパッキン片部分を捲るようなことがなくなる。
【００１７】
また、放熱板を内鍋の開口に対応した十分に広い面積のものとすることができ、放熱板側の蓋ヒータの配設密度、配設面積を十分に大きく、かつ均一なものとすることができることから、上方から下方への加熱効果が向上し（均一かつ高効率になり）、内蓋や内鍋部分の露付きが生じにくくなる。
【００１８】
さらに、上記放熱板の径の拡大に対応して、蒸気シール用パッキンの直径をも十分に大きなものとすることができるので、炊飯時における内蓋との間のおねば収容空間も十分に大きなものとなり、おねばの吹きこぼれが生じにくくなる。
【００１９】
これらの結果、炊飯時のご飯の炊き上り、保温時のご飯の保温状態が良好となる。
【００２０】
（３）  請求項３の発明
この発明の電気炊飯器の蓋ユニットは、上記請求項１又は２の発明の構成において、筒状壁構造のリブは、蒸気シール用パッキンの外周部に隣接し、その全周を囲んで設けられていることを特徴としている。
【００２１】
このような構成によると、内蓋の取付時において、内蓋の一端側を内カバーの一端側内蓋係止部に向けて挿入係止しようとする時に、外蓋下面との間の傾斜角が小さく、内蓋が外蓋下面の蒸気シール用パッキンに接触する状態で挿入操作されたような場合にも、内蓋一端側が、蒸気シール用パッキンの外周部に隣接し、その全周を囲んで設けられた筒状壁構造のリブに当たって蒸気シール用パッキンよりも上方側に位置規制されるようになるので、従来のように蒸気シール用パッキンのパッキン片部分を捲るようなことがなくなる。
【００２２】
また、同所定の高さの筒状壁構造のリブが蒸気シール用パッキンの外周に隣接し、その全周に亘って設けられていると、炊飯時、内鍋内の内圧の上昇により内蓋が上昇した時にも、全周に亘って傾きなく均一に上昇規制されるようになるので、リブがない場合に比べて一層蒸気シール用パッキンのシール性が良くなる。
【００２３】
さらに、またリブが有効な補強部材となり、内カバー部分の成型時の引け等による変形もなくなり、成型精度が向上する。
【発明の効果】
【００２４】
以上の結果、本願発明によると、外蓋と内蓋との間のシール性が良好になり、炊飯性能、保温性能の高い電気炊飯器を提供できるようになる。
【図面の簡単な説明】
【００２５】
【図１】本願発明の実施の形態に係る電気炊飯器の蓋ユニットおよび同蓋ユニットを適用して構成した電気炊飯器全体の構成を示す前後方向の断面図である。
【図２】同電気炊飯器全体の構成を示す左右方向の断面図である。
【図３】同電気炊飯器の蓋ユニット部分の構成を示す下面図である。
【図４】同電気炊飯器の蓋ユニットの外蓋に対する内蓋の取付状態（取付時の挿入角が大きい状態）を示す説明用の断面図である。
【図５】同電気炊飯器の蓋ユニットの外蓋に対する内蓋の取付状態（取付時の挿入角が小さい状態）を示す説明用の断面図である。
【図６】従来の電気炊飯器の蓋ユニットの外蓋に対する内蓋の取付状態（取付時の挿入角が大きい状態）を示す説明用の断面図である。
【図７】同軸従来の電気炊飯器の蓋ユニットの外蓋に対する内蓋の取付状態（取付時の挿入角が小さい状態）を示す説明用の断面図である。
【発明を実施するための形態】
【００２６】
先ず図１〜図５は、本願発明の実施の形態に係る電気炊飯器の蓋ユニットの構成と同蓋ユニットを適用して構成される電気炊飯器本体の構成をそれぞれ示している。
【００２７】
（電気炊飯器の全体的な構成）
先ず本願発明の実施の形態における電気炊飯器の蓋ユニットを適用して構成される電気炊飯器の炊飯器本体１は、例えば内鍋（飯器）３として電磁誘導の可能な磁性金属板よりなるものが採用されている一方、当該内鍋３に対する炊飯時の加熱手段として、外ケース４内に所定の間隔を保って設けられた合成樹脂製の内ケース８を介して、当該内鍋３の底壁部３ａから側壁部３ｂの略全体を包み込むように当該内鍋３の底壁部３ａの中央部側と側方部側に対応する第１，第２の２組のワークコイルＣ1，Ｃ2が設けられ、また当該内鍋３に対する保温時等の加熱手段として、当該内鍋３の側壁部３ｂの全周に対応する保温ヒータＨ1が設けられている。
【００２８】
外ケース４は、筒状の金属製の側壁部４ａと該側壁部４ａの下部側に嵌合一体化された皿状の合成樹脂製の底壁部４ｂとからなり、その側壁部４ａの上端側を合成樹脂製の肩部材５を介して上記内ケース８の側壁部８ａの上端側に連結することによって相互に一体化され、それによって上部側が開口された有底筒状の炊飯器本体１を形成している。
【００２９】
そして、該炊飯器本体１の上記上部側の開口部には、上記肩部材５の後端側に設けられたヒンジ部６を介して、前後方向に開閉する蓋ユニット２が着脱可能な状態で設けられている。
【００３０】
該蓋ユニット２は、その上部側外周面を構成するとともに中央部に調圧部材４０設置用の凹部２１ａを備えた合成樹脂製の外カバー２１と、該外カバー２１の外周部下面側に係合一体化して設けられ、その内周側円形の開口部２２ａ内に蒸気シール用パッキン２３を介して伝熱性の良い金属よりなる円形の放熱板２４が嵌合一体化された合成樹脂製の内カバー２５とからなる外蓋２６と、該外蓋２６の上記内カバー２５の下面側に一端側所定の係止部材および他端側所定の係合部材を介して着脱可能に係合一体化された金属製の内蓋２８とを備えて構成されている。上記外蓋２６の放熱板２４の上面には、蓋ヒータＨ2がその全周面に亘って波形に配設されている。
【００３１】
すなわち、この実施の形態の蓋ユニット２は、外カバー２１と、内カバー２２および放熱板２４との２つの構成部材よりなる閉断面断熱構造の外蓋２６と、該外蓋２６の下面側に着脱可能に取り付けて使用される平板構造の内蓋２８との２つの蓋体よりなっており、これらが適切に係合一体化された状態で、図１、図２のように上述の炊飯器本体１の上端側開口部に取り付けられて初めて適正な炊飯が可能となるように構成されている（詳細な構成については、後述する）。
【００３２】
一方、該電気炊飯器の上記炊飯／調理／保温の各機能に対するタイマー予約や炊飯および保温メニュー、加熱調理メニューの選択、それら各メニューに対応した加熱量、加熱パターン、保温温度、保温時間などの選択設定操作は、上記炊飯器本体１の前面側操作パネル部１０に設けられた各種入力スイッチ群（操作キー群）を介してユーザーにより行われ、その選択設定内容に応じて最終的に上記第１，第２のワークコイルＣ1，Ｃ2および保温ヒータＨ1、蓋ヒータＨ2が適切に駆動制御されるようになっている。
【００３３】
また、上記操作パネル部１０には、炊飯、調理（例えばパン発酵／焼きなど）、保温の各メニュー、設定された保温温度、設定保温時間、保温経過時間、現在時刻、タイマー炊飯予約時刻、炊飯完了，調理完了までの残時間、その他の各種必要事項を表示する液晶表示部１１が設けられている。
【００３４】
また、上記外ケース１の上記操作パネル部１０の内側部分（裏側空間部分）には、後述する内ケース８側制御基板９の上端部側上方位置から斜め前方に下降する格好で、操作基板（表示基板）７を保持した操作基板カバー７ａが上記操作パネル１０に平行な形で傾斜状態に設置されている。
【００３５】
一方、上記内ケース８の底壁部８ｂの下方側には、フェライトコアを備えたコイルカバー（コイル台）１２が設けられ、その上部に各々リッツ線が同心状に巻成された第１，第２の２組のワークコイルＣ1，Ｃ2が設けられており、それら各第１，第２のワークコイルＣ1，Ｃ2への通電時に上記内鍋３にうず電流を誘起して加熱するようになっている。
【００３６】
上記内ケース８の側壁部８ａ（およびコイルカバー１２）の前方部側には、上記第１，第２のワークコイルＣ1，Ｃ2や駆動用のＩＧＢＴを備えたＩＨ回路、該ＩＨ回路のＩＧＢＴを駆動するＩＧＢＴ駆動回路、上記保温ヒータＨ1、蓋ヒータＨ2等を駆動制御するヒータ駆動回路、電源電圧整流用のダイオードブリッジおよびＣＲ回路よりなる整流平滑回路などの各種の回路を備えた制御基板９および該制御基板９を保持した制御基板カバー９ａが、上記内ケース８の側壁部８ａと略同等の高さで、上記外ケース４の左右両側壁部４ａ，４ａ間に位置して上下垂直方向に立設されている。
【００３７】
上記内ケース８の皿状の底壁部８ｂの中央部には、その底面部の中央部に内鍋３の温度を検出する温度検出手段であるサーミスタを内装したセンターセンサーＳが設けられている。
【００３８】
また、同炊飯器本体１の外ケース底壁部４ｂの前部側には格子構造の冷却風の導入口１３が形成されており、該冷却風の導入口１３の上部側には、電装品等冷却用のファン（短軸のプロペラファン）１４が設けられており、該電装品等冷却用のファン１４からの冷却風を炊飯器本体内の必要な部分に導入するようになっている。
【００３９】
この電装品等冷却用のファン１４は、図示のように、その羽根車部の直径の略１／２部分を、上記制御基板カバー９部分を中心として、第１，第２のワークコイルＣ1，Ｃ2側の空間に対応させて設置されている一方、その他の略１／２部分を、上記制御基板９上のＩＧＢＴ等発熱部品放熱冷却用のヒートシンク１５および操作基板７側に対応させて設置されている。
【００４０】
（蓋ユニットの具体的な構成）
次に、本願発明の特徴とする蓋ユニット２の外蓋２６および内蓋２８部分の具体的な構成について、さらに詳細に説明する。
【００４１】
（１）  外蓋２６の構成
上記外蓋２６は、上述のように炊飯器本体１の上端側開口部の全体を覆うに適した大きさと形状の合成樹脂成形品よりなる外カバー２１と、該外カバー２１の外周面部内側に嵌合一体化された枠型の合成樹脂成形品よりなり、その内側の円形の開口部２２ａ内にラバー製の蒸気シール用パッキン２３を介して円形の放熱板２４を嵌合一体化した内カバー２２とからなっている。
【００４２】
外カバー２１は、その略中央部に位置して調圧部材４０を設置するための調圧部材設置用凹部２１ａを備えて構成されており、同調圧部材設置用凹部２１ａ内には、炊飯時において内鍋３内の蒸気圧をコントロールするための調圧部材４０が、そのパッキン４０ｆを外装した筒状の嵌合口部４０ｇ部分を同調圧部材設置用凹部２１ａ内底部に設けた嵌合口部（開口部）２１ｂ内に着脱可能に嵌合する形で設置されている。
【００４３】
調圧部材４０は、頂部側傘型のキャップ部材４０ａと、該キャップ部材４０ａの中央部側下部にあって蒸気ボール４０ｂを昇降可能に収納した開放型の蒸気ボール収納ケース４０ｃと、該蒸気ボール収納ケース４０ｃの外周にあって、おねばと蒸気を分離し、おねばを内鍋３側（内蓋２８側）に戻すとともに蒸気を上記キャップ部材４０ａの蒸気穴４０ｄ，４０ｄ・・・から逃がす摺鉢型の下部ケース４０ｅとからなり、上記下部ケース４０ｅの上端側筒状の側壁部を上記キャップ部材４０ａ外周の下部側筒状の側壁部内側にヘリコイド係合することにより、以上の各々が図示のように調圧部材４０として結合一体化されている。
【００４４】
上記外カバー２１の調圧部材設置用の凹部２１ａ内の調圧部材嵌合口部２１ｂ内に圧入嵌合される調圧部材４０側筒状の嵌合口部４０ｇは、上記下部ケース４０ｅの下端に形成されており、同筒状の嵌合口部４０ｇの下面側開口部には、下端外周におねば受け用の縁部４０ｈを備えた断面ハット形のラバー製パッキン４０ｉが下方側から嵌合係止されている。
【００４５】
次に上記内カバー２２内周側の放熱板２４にも、その略中央部に位置して、上記外カバー２１の調圧部材嵌合口部２１ｂの径よりも少し大きい円形の開口２４ａが設けられており、上記内カバー２２が上記外カバー２１の外周部内側に係合一体化された状態では、同開口２４ａ部分をパッキン２５を介して上記外カバー２１の嵌合口２１ｂの外周部分に嵌合することにより、図１、図２に示すように係合一体化されている。
【００４６】
そして、同放熱板２４の上面側には、その開口２４ａを囲む形で蓋ヒータＨ2が全周方向に波形に配設されているとともに、さらに、その上面側にはアルミホイール等を介して所望の断熱材４１が配設されている。断熱材４１は、放熱板２４の上面から内カバー２２の上面の略全体に亘って設けられ、内カバー２２の後端部側に位置して、左右幅方向に延びるバインディング部材４２によって係止固定されている。
【００４７】
内カバー２２の後端は、左右幅方向に亘ってヒンジ軸６ａを取り付けるための左右一対のブラケット壁４３，４３が所定の間隔を保って設けられており、それらの間に架け渡される形でヒンジ軸６ａが挿通されており、同ヒンジ軸６ａには、一端４４ａ側を内カバー２２本体側の係止部４４ｂに係止する一方、他端側中間部４４ｃをヒンジ軸６ａにコイル状に巻装し、同巻装部側他端を上述の炊飯器本体１側ヒンジ部６の肩部材５の係合穴４４ｅ部分に係止し得るＵ字形の突出片４４ｄとした蓋開放用のバネ部材４４が設けられている。
【００４８】
内カバー２２の内周側円形の開口２２ａの内側には、上述のように蒸気シール用パッキン２３を介して放熱板２４が嵌合一体化されているわけであるが、同放熱板２４の嵌合部は次のように構成されている。
【００４９】
すなわち、内カバー２２内周の放熱板嵌合用の円形の開口２２ａの開口縁部２２ｂは、その外周側よりも少し段階状に低く形成されており、その内端面側に蒸気シール用パッキン２３の肉厚で筒状の本体部２３ａが当接され、同本体部２３ａ部分に放熱板２４外周の断面コ字形（ｈ形）に折り曲げられた嵌合部２４ｂに衝合されることにより、同本体部２３ａが、図示仮想線の起立状態から、図示実線のコの字状態に圧縮変形されて最終的に嵌合固定され、同固定状態において、その下方側断面くの字のパッキン部２３ｂが後述する内蓋２８の外周縁部２８ａの内端側に適切に当接して蒸気をシールするようになっている。
【００５０】
上記外カバー２１および内カバー２２は、それぞれ外周縁側がスカート状に曲成されており、例えば外カバー２１外周縁部の内側面には第１の係合用凸部２１ｄが、また内カバー２２外周縁部の外側面には同第１の係合用凸部２１ｄに対応した第２の係合用凸部２２ｃが、それぞれ必要な位置に必要な数だけ相互に対応する形で設けられており、外カバー２１の内側に内カバー２２を嵌合した時の圧入方向の弾性変形力を利用して、それらを相互に摺動係合させて一体化するようになっている。
【００５１】
この場合、第１の係合用凸部２１ｄ、第２の係合用凸部２２ｃ各々の対向面側は、それぞれ相互に摺動しやすいテーパー面となっており、スムーズに係合する。
【００５２】
（２）  内蓋の構成
他方、内蓋２８は、図示のように、内鍋３の開口部に対応する中央部２８ｂの全体が、その外周縁部２８ａよりも低い皿形の構造を有して形成されており、同高さが高い外周縁部２８ａの下面側に内鍋シール用のパッキン２８ｃを嵌合して構成されている。
【００５３】
この内蓋２８は、上記外周縁部２８ａの後端側（一端側）左右２つの位置に所定の間隔を置いて、上記内カバー２２の爪部材係合用凹部（内蓋係止部）２２ｅ，２２ｅに対応した断面Ｖ字構造をなす爪部材２８ｄ，２８ｄを備えるとともに、前端側（他端側）左右の２つの位置に上記内カバー２２前端側（他端側）の左右の係合凹部２２ｆ，２２ｆに係合する一対の係合部材２８ｅ，２８ｅを備えて支持されている。
【００５４】
上記爪部材２８ｄ，２８ｄは、ホルダー２８ｆ，２８ｆ内に外方に突出付勢するバネ部材を有して弾性的に構成されている。
【００５５】
また、係合部材２８ｅ，２８ｅは、半径方向の内外方向に弾性変形可能な下方側へ向いた起立片よりなり、下端側に操作片２２ｈ，２２ｈ、中間部に内カバー２２の係合凹部２２ｆ，２２ｆへの係合用の凸部２８ｇ，２８ｇを備えて構成されている。
【００５６】
そして、該内蓋２８は、上記後端側爪部材２８ｄ，２８ｄを、例えば図５、図６に示すように上記内カバー２２後端側の対応する支点側爪部材係合用凹部２２ｅ，２２ｅ内に挿入し、同挿入部分を支点として、その前端側を上記内カバー２２の前端側に向けて回動し、同前端側の係合部材２８ｅ，２８ｅの係合用凸部２８ｇ，２８ｇを内カバー２２側の係合凹部２２ｆ，２２ｆに係合させることによって、図１〜図３のように一体化する。
【００５７】
（本願発明の要旨）
ところで、以上のように内蓋２８を外蓋２６下面の内カバー２２部分に取り付けるに際し、すでに図６、図７の従来例の説明で述べたように、内カバー２２の爪部材係合用凹部２２ｅ，２２ｅに対する内蓋２８後端側爪部材２８ｄ，２８ｄの挿入角度θが所定角度以上に小さい場合（図６の場合）、そのままでは、爪部材２８ｄ，２８ｄ挿入時に、放熱板２４外周の蒸気シール用パッキン２３のパッキン部分２３ｂを大きく捲ってしまい、同パッキン部分２３ｂがパッキンとして機能しない状態で内蓋２８が内カバー２２に固定されてしまう問題が生じる。
【００５８】
ところが、図１〜図５の各々に示すように、本実施の形態では、上記内カバー２２には、その開口縁部２２ｂの蒸気シール用パッキン２３の外周に沿う部分に（沿って隣接する部分に）、そのパッキン部分２３ｂの略中間部（くの字状の変曲点位置付近）に至る高さの筒壁状のリブＬが一体に成型されている。
【００５９】
したがって、例えば図４に示すように、内蓋２８後端側爪部材２８ｄ，２８ｄの内カバー２２の爪部材係合用凹部２２ｅ，２２ｅに対する挿入角θが大きい場合はもちろん、例えば図５に示すように所定値以上に小さい場合にも、その先端側が同リブＬにより、蒸気シール用パッキン２３のパッキン部分２３ｂのくの字状の変曲点部分付近の高い位置でガイドされて、蒸気シール用パッキン２３のパッキン部分２３ｂを捲ることなく、スムーズに内蓋２８が取り付けられるようになる。
【００６０】
その結果、良好な炊飯性能が確保される。
【００６１】
特に、同構成では、放熱板２４を内鍋３の開口に対応した十分に広い面積のものとすることができ、蓋ヒータＨ2の配設密度、配設面積を十分に大きく、かつ均一なものとすることができることから、上方から下方への加熱効果が向上し（均一かつ高効率になり）、内蓋２８や内鍋３部分の露付きが生じにくくなる。
【００６２】
さらに、上記放熱板２４の径の拡大に対応して、蒸気シール用パッキン２３の直径をも十分に大きなものとすることができるので、炊飯時における内蓋２８との間のおねばの収容空間も十分に大きなものとなり、おねばの吹きこぼれが生じにくくなる。
【００６３】
また、同所定の高さのリブＬが蒸気シール用パッキン２３の全周に亘って設けられていることから、炊飯時、内鍋３内の内圧の上昇により内蓋２８が上昇した時にも、全周に亘って傾きなく均一に上昇規制されるようになるので、リブＬがない場合に比べて一層蒸気シール用パッキン２３のシール性が良くなる。
【００６４】
これらの結果、炊飯時のご飯の炊き上り、保温時のご飯の保温状態がともに良好となる。
【００６５】
さらに、またリブＬが有効な補強部材となり、内カバー２２部分の成型時の引け等による変形もなくなり、成型精度が向上する。
【００６６】
（他の実施の形態）
以上の実施の形態では、リブＬを筒状壁構造のものとし、同リブＬが蒸気シール用パッキン２３の全周に亘って設けられるようにしたが、該リブＬは、例えば内蓋２８後端側爪部材２８ｄ，２８ｄの内カバー２２の爪部材係合用凹部２２ｅ，２２ｅに対する挿入角θが所定値以上に小さい場合に、その先端側が同リブＬにより、蒸気シール用パッキン２３のパッキン部分２３ｂのくの字状の変曲点部分付近の高い位置でガイドされて、蒸気シール用パッキン２３のパッキン部分２３ｂを捲ることなく、スムーズに内蓋２８が取り付けられるようにすることのみを考えるのであれば、同ガイド作用を果す部分に必要な形状の凸状部を部分的に設けるようにすれば足りる。
【符号の説明】
【００６７】
１は炊飯器本体、２は蓋ユニット、２１は外カバー、２２は内カバー、２３は蒸気シール用パッキン、２３ａは本体部分、２３ｂはパッキン部分、２４は放熱板、２６は外蓋、２８は内蓋、Ｈ2は蓋ヒータ、Ｌはリブである。
【図１】
2010284401.tif 000003
【図２】
2010284401.tif 000004
【図３】
2010284401.tif 000005
【図４】
2010284401.tif 000006
【図５】
2010284401.tif 000007
【図６】
2010284401.tif 000008
【図７】
2010284401.tif 000009